(57)【要約】【課題】複数列の球通路を有する球流下通路から前記複数列よりも少ない列の球通路を有する球流下通路へ滑らかに遊技球を流下させることができる弾球遊技機を提供する。【解決手段】弾球遊技機が、それぞれ遊技球を流下させる複数列の球通路を有する予備賞球通路４２ａ，４２ｂと、前記複数列よりも少ない列の球通路を有して予備賞球通路４２ａ，４２ｂの下流側に繋がって設けられ、予備賞球通路４２ａ，４２ｂから供給される遊技球を流下させる賞球待機通路と、予備賞球通路４２ａ，４２ｂと賞球待機通路との接続部に設けられ、予備賞球通路４２ａ，４２ｂを流下する遊技球を整流して賞球待機通路に供給する整流機構１００とを備えて構成される。【選択図】　図６
2004008650.tif 000002
【特許請求の範囲】
【請求項１】
遊技球を流下させる複数列の球通路を有する第１球流下通路と、
前記複数列よりも少ない列の球通路を有して前記第１球流下通路の下流側に繋がって設けられ、前記第１球流下通路から供給される遊技球を流下させる第２球流下通路と、
前記第１球流下通路と前記第２球流下通路との接続部に設けられ、前記第１球流下通路を流下する遊技球を整流して前記第２球流下通路に供給する整流機構とを備えて構成されていることを特徴とする弾球遊技機。
【発明の詳細な説明】
【０００１】
【発明の属する技術分野】
本発明は、弾球遊技機に関し、さらに詳しくは、複数列の球通路を有する球流下通路を流下する遊技球を整流する機構に関する。
【０００２】
【従来の技術】
上記のような弾球遊技機の代表例としてパチンコ機がある。パチンコ機は、多数本の遊技釘や風車、種々の入賞装置等が所定のゲージ設定で配設された遊技盤と、この遊技盤における所定の入賞条件に基づいて遊技球の払い出しを行う賞球払出装置とを有して構成される。
【０００３】
そして、パチンコ機には、例えば、所定の入賞条件に基づいて遊技球を払い出したり、入賞装置等を通って遊技盤の裏面側に排出された遊技球を集合させてパチンコ機の外部に排出させたりするときに、遊技球がパチンコ機内を流下する種々の球流下通路が設けられている。
【０００４】
【発明が解決しようとする課題】
ところで、球流下通路には遊技球を効率よく流下させるために複数列の球通路を有して形成されているものがある。しかしながら、前述のように球流下通路が複数列の球通路を有して形成されていると、例えば賞球払出装置のように、球流下通路に配設される装置を複数列の球通路に対応して構成する必要があるため、複数列の球通路を有する球流下通路に配設される各装置の構造は複雑になり、製造コスト上昇の一因となっていた。そのため、球通路の列数を減らすために、複数列の球通路を有する球流下通路から前記複数列よりも少ない列の球通路を有する球流下通路へ滑らかに遊技球を流下させるための方策が望まれていた。
【０００５】
本発明はこのような問題に鑑みてなされたものであり、複数列の球通路を有する球流下通路から前記複数列よりも少ない列の球通路を有する球流下通路へ滑らかに遊技球を流下させることができる弾球遊技機を提供することを目的とする。
【０００６】
【課題を解決するための手段】
このような目的達成のため、本発明に係る弾球遊技機は、遊技球を流下させる複数列の球通路を有する第１球流下通路（例えば、実施形態における予備賞球通路４２ａ，４２ｂ）と、前記複数列よりも少ない列の球通路を有して第１球流下通路の下流側に繋がって設けられ、第１球流下通路から供給される遊技球を流下させる第２球流下通路（例えば、実施形態における賞球待機通路５２ａ）と、第１球流下通路と第２球流下通路との接続部に設けられ、第１球流下通路を流下する遊技球を整流して第２球流下通路に供給する整流機構とを備えて構成される。ここで、整流とは、複数列の球通路から前記複数列よりも少ない列の球通路へ各列順に遊技球を流下させることをいう。
【０００７】
このような構成の弾球遊技機によれば、第１球流下通路と第２球流下通路との接続部に設けられた整流機構により、複数列の球通路を有する第１球流下通路から前記複数列よりも少ない列の球通路を有する第２球流下通路へ滑らかに遊技球を流下させることができるため、複数列の球通路を有する球流下通路に配設されていた装置の構造を簡略化することができる。
【０００８】
【発明の実施の形態】
以下、本発明の好ましい実施形態について添付図面を参照しながら説明する。実施例では本発明に係る弾球遊技機の代表例としてパチンコ機を採り上げて説明する。まず、本発明が適用されるパチンコ機ＰＭについてその概要構成を図１および図２を参照して要約説明する。ここで、図１はパチンコ機ＰＭを正面から見た正面図、図２はパチンコ機ＰＭを裏面から見た背面図である。
【０００９】
パチンコ機ＰＭは、外郭方形枠サイズに構成されて縦向きの固定保持枠を成す外枠１の開口前面に、これに合わせた方形枠サイズに構成されて開閉搭載用の前枠２が互いの正面左側上下に配設されたヒンジ部材３ａ，３ｂにより横開き開閉および着脱可能に取り付けられ、正面右側に設けられた施錠装置４を利用して外枠１と係合された閉鎖状態で遊技に供される。
【００１０】
前枠２の正面側には、前枠２の前側面域に合わせた方形状のガラス扉５、および遊技球を貯留して整列させる上球皿６が、ともに横開き開閉および着脱が可能に組付けられており、常には施錠装置４および図示しないロック機構を利用して前枠２の前面を覆う閉止状態で保持される。前枠２の下部には下球皿７および遊技球の発射操作を行う操作ハンドル８が取り付けられている。
【００１１】
ガラス扉５の背後に位置する前枠２の裏面上部には、図示省略する方形枠状の収容枠が前枠２と一体に成形されており、この収容枠に所定のゲージ設定で構成された遊技盤２０が複数の係合レバー１７，１７…により着脱交換可能にセット保持されその前面域をガラス扉５に臨ませている。
【００１２】
遊技盤２０は、表面にセルが貼り付けられた化粧板２１の前面側に、帯状の外レール２２ａおよび内レール２２ｂが円弧状に固設され、この内側に遊技領域ＰＡが区画される。遊技領域ＰＡには多数本の遊技釘とともに、複数の風車２３、一般入賞具２４や始動入賞具２５並びに大入賞口２６などの入賞具、周囲に飾り部を有した図柄表示装置２８などが設けられ、遊技領域ＰＡの下端には入賞具に入賞せずに落下した遊技球を排出させるアウト口２７が設けられている。入賞具に落入した遊技球（「セーフ球」という）は、各入賞具に設けられた入賞球検出センサで検出され、化粧板２１を貫通するセーフ球通路孔を通って遊技盤２０の裏面側に排出される。また、アウト口２７に集められたアウト球は化粧板２１を貫通するアウト球通路孔を通って遊技盤２０の裏面側に排出される。
【００１３】
前枠２の裏面下部には打球発射装置９が取り付けられており、打球発射装置９と遊技盤２０との間には、打球発射装置９によって打ち出された遊技球を遊技盤２０の外レール２２ａに向けて案内する発射レールや、効果音を発生させるスピーカ等が取り付けられている。発射レールやスピーカ等は上球皿６の裏側に位置する前枠２の中間領域（「遊技補助盤」と称される）に取り付けられており、常には閉鎖状態に保持される上球皿６によりその表面側が覆われている。
【００１４】
また、前枠２の裏側には、裏セット盤ＢＳＰが上下のヒンジ１８，１８で横開き開閉および着脱が可能に装備され、常には閉鎖レバー１９，１９…を利用して遊技盤２０の裏面を覆うように閉鎖保持される。裏セット盤ＢＳＰは、全体として収容枠の背面外郭サイズよりも大きめの縦長方形形状を成し、中央に遊技盤２０から突出する画像制御基板９７を受容する窓口３１を有して一体成形された基枠体３０をベースとして構成される（図２を参照）。
【００１５】
裏セット盤ＢＳＰには、窓口３１の上部に装備されて遊技球の貯留・供給処理を行う球貯留供給機構４０や、窓口３１の右側方に装備されて球貯留供給機構４０から導かれる遊技球（「予備賞球」という）の払い出し処理を行う賞球払出機構５０などの賞球機構が設けられるとともに、賞球払出機構５０の下方に位置して同機構５０から払い出された遊技球（「賞球」という）を上・下の球皿６，７に排出するための賞球払出経路６０、窓口３１の下方に位置して遊技盤２０の裏面側に排出されるアウト球およびセーフ球（これらをまとめて「遊技済み球」という）を集合させ、遊技施設側の回収バケットに排出させる下部球抜き通路などが形成されている。
【００１６】
また、裏セット盤ＢＳＰの裏面側には、このパチンコ機の作動を統括的に制御するメイン基板９１や、賞球の払出制御を行う球払出基板９２、効果照明や効果音の作動制御を行うランプ・音声制御基板９３、各制御基板や電子部品に所定の電力を供給する電源基板９４、複数のコネクタが取り付けられて制御信号や電力の中継等を行う中継基板９５、遊技機の作動状態を遊技施設側に出力するためのターミナル基板９６などの各種回路基板や、賞球払出装置５３などの電子部品が取り付けられ、各機器が図示しないワイヤーハーネスで接続される。
【００１７】
パチンコ機ＰＭは、上球皿６およびガラス扉５が閉止施錠された状態（図１に示す状態）で遊技に供され、上球皿６に遊技球を貯留させて操作ハンドル８を回動操作することにより遊技が開始される。操作ハンドル８の操作レバーが回動操作されると、上球皿６に貯留した遊技球がこの球皿に装備された球送り装置によって１球ずつ発射レール上に送出され、打球発射装置９のハンマーに打ち出されて遊技盤２０の遊技領域ＰＡに導かれ、以降パチンコゲームが展開される。
【００１８】
次に、このように概要構成されるパチンコ機ＰＭにおいて、球貯留供給機構４０から導かれる予備賞球が賞球払出機構５０により賞球として払い出されるまでの流れについて概要説明する。なお、以降では裏セット盤ＢＳＰを裏側から見た構成を主として説明するため、説明の便宜上、図２に示す背面図における左右方向を左方または右方と称し、紙面直交方向の向こう側（パチンコ機前面側）を前方、手前側（同裏面側）を後方と称して説明する。
【００１９】
球貯留供給機構４０は、図２に示すように、基枠体３０の上部に取り付けられて予備賞球を貯留するタンク部材４１と、このタンク部材４１の下部に位置して基枠体３０に取り付けられるタンクレール４２とを主体として構成される。タンク部材４１は、取付姿勢において上面が開放されるとともに底面が緩く左傾および前傾された箱状体をなし、底面の左前方に形成された開口部でタンクレール４２の予備賞球通路と連通している。
【００２０】
タンクレール４２は、基枠体３０にねじ止めされた取付姿勢において、前後の壁面に囲まれた樋状体をなし、底面に左右方向に延びて立設されたリブ状の仕切壁により、この樋内に前後二列の予備賞球通路４２ａ，４２ｂを形成する（図５および図１１を参照）。タンクレール４２はタンク部材４１側から賞球払出機構５０側に向けて緩く下傾して取り付けられ、タンク部材４１から供給された予備賞球を上記二列の予備賞球通路４２ａ，４２ｂに整列させて流下させる。図５および図１１に示すように、予備賞球通路４２ａ，４２ｂの底面側にはそれぞれ、ガイド溝４４ａ，４４ｂが形成されており、このガイド溝４４ａ，４４ｂに沿って予備賞球が予備賞球通路４２ａ，４２ｂを流下するようになっている。
【００２１】
図５および図６に示すように、タンクレール４２の傾斜端部すなわち予備賞球通路４２ａ，４２ｂの終端部は、前後二列の予備賞球通路４２ａ，４２ｂを１列に合流させるようにして下方に略直角に折り曲げられた形状となっており、その下端には下方に向けて開口する偏向出口４３が形成されている。そしてこの偏向出口４３から予備賞球が１列で賞球払出機構５０に送り出されるようになっている。
【００２２】
賞球払出機構５０は、基枠体３０に支持され、偏向出口４３から送り出された予備賞球を受けて所定数量の予備賞球を一列の賞球待機通路５２ａに待機保持させる待機通路部材５２と、この待機通路部材下部の基枠体３０に取り付けられ、賞球待機通路５２に待機保持された予備賞球を所定の払出条件に基づいて払い出す賞球払出装置５３を主体として構成される。また、偏向出口４３と待機通路部材５２との間には、賞球として払い出すに充分な予備賞球が賞球待機通路５２ａにあるか否かを検出するための球有無検出スイッチ５１が着脱可能に取り付けられ、賞球払出装置５３の払出口と賞球払出経路６０との間には、払い出された賞球を検出する賞球検出センサ５４，５４が係脱可能に設けられている。
【００２３】
球有無検出スイッチ５１は、詳細図示はしないが、一列の筒状の検出通路（図示せず）と、この検出通路の上方に揺動支点を有して通路内に付勢され突出する検知レバー（図示せず）とを有し、検出通路内に予備賞球が供給されると検知レバーが通路外方に押圧されて揺動変位し、スイッチ内の接点を閉鎖するように構成されている。そして、球有無検出スイッチ５１の出力信号はメイン基板９１に入力されており、メイン基板９１はこの球有無検出スイッチ５１の出力信号が球無し状態（例えばスイッチ回路がオープン状態）になると、次回以降の払い出し中に払い出すべき遊技球が不足するおそれがあるため、賞球払出装置５３の作動を規制するとともに、その旨を放置するように構成されている。
【００２４】
待機通路部材５２は、その内部に屈曲した立設壁面で囲まれた一列の賞球待機通路５２ａが形成され、球有無検出スイッチ５１の検出通路の下端部と賞球払出装置５３に形成された受容口とに繋がるように構成されている。
【００２５】
賞球払出装置５３は、詳細図示はしないが、カセットケース５３ａに納められて全体として方形箱状のモジュールをなし、その上部中央に賞球待機通路５２ａの下端部と繋がって予備賞球を受容する受容口（図示せず）、下部の左右に賞球を払い出す払出口（図示せず）が設けられている。ケース内部にはインペラ（図示せず）とこのインペラを回転させるステッピングモータ（図示せず）、および受容口から受け入れた予備賞球を左右の払出口に導くためのカセット内通路（図示せず）を有している。
【００２６】
インペラには、予備賞球を受容する受容部が複数形成されており、受容口から供給された予備賞球はインペラの受容部に受け入れられ、インペラの回転に伴って右または左のカセット内通路を通り、左右いずれかの払出口から払い出されるように構成されている。
【００２７】
賞球の払出は、所定条件のもと球払出基板９２から出力される払出指令信号に基づいて行われる。賞球払出装置５３は球払出基板９２からの払出指令信号に応じてステッピングモータを作動させ、インペラを時計回りまたは反時計回りに回転させて、左または右側の払出口から賞球を払い出す。具体的には、入賞具２４，２５，２６等への遊技球の入賞状態に基づいて球払出基板９２から出力される払出指令信号に応じてインペラを例えばパチンコ機ＰＭの後方から見て時計回りに回転作動させ、指令信号に応じた数量の予備賞球を賞球として右側の払出口から賞球払出経路６０に払い出す。また、いわゆるＣＲ機において球貸し操作が行われたときには、球払出基板９２から出力される払出指令信号に応じてインペラを逆方向、例えばパチンコ機ＰＭの後方から見て反時計回りに回転作動させ、指令信号に応じた数量の予備賞球を貸し球として左側の払出口から賞球払出経路６０に払い出す。
【００２８】
なお、待機通路部材５２の上部（球有無検出スイッチ５１の直下）には、予備賞球を遊技施設側の回収バケットに強制的に排出させるための球抜き機構（図示せず）が設けられている。球抜き機構は、予備賞球を賞球待機通路５２ａとパチンコ機ＰＭの外部に繋がる球抜き通路（図示せず）とに切り替えて導くことができる流路切替部材（図示せず）を主体として構成され、流路切替部材を予備賞球が球抜き通路を流下するように切り替えることにより、球抜き機構よりも上流側に位置する予備賞球をパチンコ機ＰＭの外部に排出させることができるようになっている。
【００２９】
また、球切れ検出スイッチ５１の上部には、賞球待機通路５２ａにおける球抜き機構よりも下流側に位置する予備賞球を排出させるための疑似球有り状態創出機構７０が設けられている。疑似球有り状態創出機構７０は、球切れ検出スイッチ５１の検知レバーを押圧するための押圧部材（図示せず）を有して構成されており、球抜き機構による球抜きを行った後、押圧部材に球切れ検出スイッチ５１の検知レバーを押圧させることにより、あたかも賞球待機通路５２ａの上部まで予備賞球が存在するように擬似的に球有り状態を創出して球切れ検出状態を解消させ、遊技盤２０の入賞具２４，２５，２６に遊技球を投入して賞球払出装置５３を作動させることで賞球待機通路５２ａにおける球抜き機構よりも下流側に位置する予備賞球を排出できるようになっている。
【００３０】
以上のようにして賞球が賞球払出経路６０に払い出されるパチンコ機ＰＭにあって、予備賞球通路４２ａ，４２ｂの下流側端部には、予備賞球通路４２ａ，４２ｂを流下する予備賞球を整流して賞球待機通路５２ａに供給するための整流機構１００が設けられている。
【００３１】
まず図３〜図１３を参照しつつ、第１実施例の球抜き装置１００について説明する。なお、図３は整流機構１００の分解斜視図、図４は整流機構１００に構成される整流部材１１０のベース部材１２０への取付部周辺を示す拡大斜視図、図５は整流機構１００の分解平面図（部分断面図）、図６は整流機構１００の背面図（部分断面図）、図７は整流機構１００の平面図（部分断面図）、図８はベース部材１２０を非整流位置に位置させた状態を示す背面図（部分断面図）、図９は整流機構１００に構成される回転規制部材１４０を回転規制位置に位置させた状態を示す拡大図（部分断面図）、図１０は整流機構１００を左方から見た側面図（部分断面図）、図１１は図７中の矢印ＸＩ−ＸＩに沿った部分断面図、図１２は図７中の矢印ＸＩＩ−ＸＩＩに沿った部分断面図、そして図１３は整流部材１１０の分解背面図（部分断面図）である。
【００３２】
整流機構１００は、図３および図５に示すように、予備賞球通路４２ａ，４２ｂを流下する予備賞球を整流する整流部材１１０と、整流部材１１０が回転可能に取り付けられるベース部材１２０と、ベース部材１２０を枢支する支軸１０１と、ベース部材１２０を支軸１０１とともに基枠体３０に傾動可能に取り付けるベース取付部材１３０と、整流部材１１０の回転を規制する回転規制部材１４０と、ベース部材１２０の傾動を規制する傾動規制部材１５０とから構成される。
【００３３】
整流部材１１０は、パチンコ機ＰＭにおける前方側に位置する第１整流部材１１１と、後方側に位置する第２整流部材１１６とから構成される。第１整流部材１１１は、各図に示すような歯車状の形態をなし、基枠体３０と同様の樹脂材料、例えばＡＢＳ樹脂等の樹脂材料を用いて射出成形等の成形手段により図示する形状に一体的に形成される。
【００３４】
図５および図１３に示すように、第１整流部材１１１の中央部には第１回転軸部１１２が形成されており、この第１回転軸部１１２を中心軸として第１整流部材１１１が回転するようになっている。第１回転軸部１１２の一端側には、第２整流部材１１６の六角穴１１７ａと係合する六角柱状の角穴係合部１１２ａが形成されている。
【００３５】
第１回転軸部１１２の両端側面には、ベース部材１２０の係合穴部１２５，１２５と係合する係合軸部１１３，１１３が第１回転軸部１１２と同じ中心軸を有して形成されており、図６に示すように、係合軸部１１３，１１３が係合穴部１２５，１２５と係合することにより、第１整流部材１１１および第２整流部材１１６（すなわち整流部材１１０）がベース部材１２０に第１回転軸部１１２を中心軸として回転可能に取り付けられるように構成されている。
【００３６】
第１整流部材１１１の外周部には、予備賞球が当接する山型の第１球当接部１１４が６０度間隔で六カ所形成されており、図６に示すように、第１整流部材１１１がベース部材１２０に取り付けられた状態で、予備賞球通路４２ａを流下する予備賞球が第１球当接部１１４の縁部に当接すると、予備賞球の自重により第１球当接部１１４が押圧されて第１回転軸部１１２を中心軸として回動すると同時に、予備賞球が互いに隣接する第１球当接部１１４，１１４の間隙部に位置しながら予備賞球通路４２ａを流下し、第１球当接部１１４の回動に伴い予備賞球が第１球当接部１１４から離れると、この第１球当接部１１４の予備賞球通路４２ａにおける上流側に隣接する第１球当接部１１４に、先の予備賞球の上流側に隣接する予備賞球が当接するように構成されている。すなわち、予備賞球が連続して予備賞球通路４２ａを流下すると、予備賞球の一つがそれぞれ第１球当接部１１４の一つに当接して回動させるように構成されている。
【００３７】
第２整流部材１１６は、各図に示すような歯車状の形態をなし、基枠体３０と同様の樹脂材料、例えばＡＢＳ樹脂等の樹脂材料を用いて射出成形等の成形手段により図示する形状に一体的に形成される。第２整流部材１１６の中央部には第２回転軸部１１７が形成されており、この第２回転軸部１１７を中心軸として第２整流部材１１６が回転するようになっている。第２整流部材１１６の中央部には、第１回転軸部１１２の角穴係合部１１２ａと係合する六角穴１１７ａが角穴係合部１１２ａと同等の大きさを有して正六角形状に形成されており、この六角穴１１７ａに角穴係合部１１２ａを係合させて、第２回転軸部１１７の一端側面が第１回転軸部１１２の中央部側面に当接するまで第２整流部材１１６を押し込むことにより、第２整流部材１１６が第１整流部材１１１と組み合わさるように構成されている。
【００３８】
図６および図１３に示すように、第２整流部材１１６の外周部には、第１整流部材１１１と同様に、予備賞球が当接する山型の第２球当接部１１９が６０度間隔で六カ所形成されており、予備賞球通路４２ｂを流下する予備賞球が第２球当接部１１９の縁部に当接すると、予備賞球の自重により第２球当接部１１９が押圧されて第２回転軸部１１７を中心軸として回動すると同時に、予備賞球が互いに隣接する第２球当接部１１９，１１９の間隙部に位置しながら予備賞球通路４２ｂを流下し、第２球当接部１１９の回動に伴い予備賞球が第２球当接部１１９から離れると、この第２球当接部１１９の予備賞球通路４２ｂにおける上流側に隣接する第２球当接部１１９に、先の予備賞球の上流側に隣接する予備賞球が当接するように構成されている。すなわち、予備賞球が連続して予備賞球通路４２ｂを流下すると、予備賞球の一つがそれぞれ第２球当接部１１９の一つに当接して回動させるように構成されている。
【００３９】
また、第２球当接部１１９は、第１整流部材１１１と第２整流部材１１６とを組み合わせた状態で、第２球当接部１１９の形成位置が第１球当接部１１４の形成位置よりも第１回転軸部１１２を中心に３０度、すなわち半ピッチ分だけ回転してずれるように形成されている。すなわち、予備賞球が連続して予備賞球通路４２ａ，４２ｂ流下すると、予備賞球の一つがそれぞれ第１球当接部１１４および第２球当接部１１９の一つに当接して回動させるため、第１球当接部１１４および第２球当接部１１９の１ピッチ分のずれは予備賞球１個分のずれに相当し、前後二列の予備賞球通路４２ａ，４２ｂを流下する予備賞球が第１球当接部１１４および第２球当接部１１９に互いに半個分ずれたタイミングで当接することになる。
【００４０】
そして、第２整流部材１１６の六角穴１１７ａに第１整流部材１１１の角穴係合部１１２ａを係合させて、第２回転軸部１１７の一端側面が第１回転軸部１１２の中央部側面に当接するまで第２整流部材１１６を押し込み、第１整流部材１１１と第２整流部材１１６とを組み合わせることで整流部材１１０が形成される。そのため、第１球当接部１１４または第２球当接部１１９に予備賞球が当接すると、第１球当接部１１４と第２球当接部１１９とが第１回転軸部１１２（第２回転軸部１１７）を中心軸として同時に回動する。また、第２球当接部１１９の形成位置が第１球当接部１１４の形成位置よりも半ピッチ分だけ回転してずれているため、前後二列の予備賞球通路４２ａ，４２ｂを流下する予備賞球が第１球当接部１１４および第２球当接部１１９に互いに半個分ずれたタイミングで当接する。
【００４１】
ベース部材１２０は、図５に示すように、枠状の形態をなし、基枠体３０と同様の樹脂材料、例えばＡＢＳ樹脂等の樹脂材料を用いて射出成形等の成形手段により図示する形状に一体的に形成される。ベース部材１２０の一端側には円筒状のベース傾動軸部１２１が形成されており、このベース傾動軸部１２１を中心軸として、ベース部材１２０が、図６に示すように予備賞球通路４２ａ，４２ｂを流下する予備賞球を整流する整流位置と、図８に示すような非整流位置とに傾動するように構成されている。
【００４２】
ベース傾動軸部１２１の中央部には、支軸１０１を挿通させるための支軸穴１２１ａが形成されている。支軸１０１は金属製の丸棒から切り出し成形されており、支軸穴１２１ａを通り抜けて基枠体３０に固定されることにより、ベース部材１２０を傾動可能に枢支する。
【００４３】
また、ベース部材１２０の一端側に形成されたベース傾動軸部１２１に隣接して、回転規制部材１４０を取り付けるための台座部１２２が形成されている。台座部１２２は、両側端部を壁面に囲まれた樋状に形成され、回転規制部材１４０をスライド移動可能に取り付けられるように構成されている。台座部１２２の中央部には、回転規制部材１４０を台座部１２２に取り付けるための回転規制部材取付穴１２２ａがネジ溝を有して形成されており、台座部１２２のベース傾動軸部１２１と反対側に位置する端部には回転規制部材１４０の第２整流部材当接部１４２と干渉するのを防止するための切欠き部１２２ｂが形成されている。
【００４４】
ベース部材１２０の他端側には、傾動規制部材１５０と当接する傾動規制部材当接部１２３が形成されている。傾動規制部材当接部１２３は、図６に示すように断面視台形状に形成され、ベース部材１２０が整流位置に位置するときに、傾動規制部材当接部１２３の上面側と傾動規制部材１５０の上動防止部１５３とが当接可能となっている。傾動規制部材当接部１２３の下面側は、上面側に対して傾斜するように形成され、ベース部材１２０が非整流位置に位置するときに傾動規制部材１５０の下動防止部１５２と当接可能となっている。
【００４５】
ベース部材１２０の下部には、図６および図１１に示すように、タンクレール４２の端部に形成されたベース部材当接溝４５，４５と当接するタンクレール当接部１２４，１２４が形成されている。タンクレール当接部１２４は、ベース部材１２０の下部から下方へ延びるように形成され、ベース部材１２０が非整流位置から整流位置に傾動すると、タンクレール当接部１２４，１２４がベース部材当接溝４５，４５の底面に当接してベース部材１２０の下方への傾動を規制し、ベース部材１２０を整流位置にとどめるように構成される。
【００４６】
また、図１２に示すように、ベース部材当接溝４５内にタンクレール当接部１２４が位置することで、タンクレール当接部１２４の前後方向の移動が規制され、ベース部材１２０の整流位置における前後方向の移動が規制される。すなわち、ベース部材当接溝４５が整流機構１００とタンクレール４２との位置整合を行う溝としても機能する。
【００４７】
ベース部材１２０の両側面には、第１整流部材１１１の係合軸部１１３，１１３と係合する係合穴部１２５，１２５が形成されている。図４に示すように、係合穴部１２５はＬ字型の長穴状に形成され、ベース部材１２０の側面上端部から下方へ延びる導入部１２５ａと、導入部１２５ａの下端部から右方へ延びる係合部１２５ｂとから構成される。
【００４８】
導入部１２５ａは、係合軸部１１３の軸径よりも若干大きい幅を有してベース部材１２０の側面上端部から下方へ延びるように形成され、係合軸部１１３をベース部材１２０の側面上端部から導入部１２５ａの下端部で繋がる係合部１２５ｂへ導くようになっている。係合部１２５ｂは、導入部１２５ａと同様に係合軸部１１３の軸径よりも若干大きい幅を有して導入部１２５ａの下端部から繋がって右方へ延びるように形成され、導入部１２５ａに導かれた係合軸部１１３が係合部１２５ｂに位置することで、係合軸部１１３が係合穴部１２５と係合するようになっている。なお、係合軸部１１３が係合穴部１２５と係合した状態で係合穴部１２５内を移動可能であることから、係合穴部１２５は整流部材１１０が予備賞球から受ける球圧を逃がす機能も有している。
【００４９】
ベース取付部材１３０は、図６および図１０に示すように、板状の形態をなし、基枠体３０と同様の樹脂材料、例えばＡＢＳ樹脂等の樹脂材料を用いて射出成形等の成形手段により図示する形状に一体的に形成される。ベース取付部材１３０の中央部には、支軸１０１を基枠体３０に取り付けるための支軸取付部１３１がボス形状を有して形成されており、その中央部には、支軸１０１を挿入するための支軸挿入穴１３１ａがベース部材１２０の支軸穴１２１ａとほぼ同径で形成されている。
【００５０】
ベース取付部材１３０の両端部には、ベース取付部材１３０を基枠体３０に取り付けるための取付ボス部１３２，１３２が形成されており、その中央部には、ベース取付部材１３０を基枠体３０に固定する部材固定ネジ１３５が通り抜ける貫通穴１３２ａが形成されている。また、取付ボス部１３２，１３２が形成される面と反対側の面には、部材固定ネジ１３５の頭部を受容するザグリ穴１３４，１３４が形成されており、部材固定ネジ１３５の頭部のベース取付部材１３０に対する突出量が少なくなるようになっている。
【００５１】
図３および図１０に示すように、基枠体３０におけるタンクレール４２の右方には、ベース取付部材１３０を基枠体３０に取り付けるためのベース取付部材取付ボス１０２，１０２が上下２箇所に形成されるとともに、支軸１０１を基枠体３０に取り付けるための支軸取付ボス１０３が形成されている。ベース取付部材取付ボス１０２は、基枠体３０の裏面側から垂直に延びて円筒状に形成されており、その中央部には、部材固定ネジ１３５がネジ止めされるネジ穴１０２ａが形成されている。支軸取付ボス１０３は、ベース取付部材取付ボス１０２，１０２の中間に位置して形成されており、その中央部には、支軸１０１を挿入するための支軸取付穴１０３ａが形成されている。
【００５２】
そして、ベース取付部材１３０によりベース部材１２０を基枠体３０に取り付けるには、まず、支軸１０１をベース部材１２０の支軸穴１２１ａに挿通させて、支軸１０１の一端側を支軸取付ボス１０３の支軸取付穴１０３ａに挿入し、ベース取付部材１３０の支軸挿入穴１３１ａに支軸１０１の他端側を挿入させる。次に、ベース取付部材１３０の取付ボス部１３２，１３２とベース取付部材取付ボス１０２，１０２との面をそれぞれ合わせ、部材固定ネジ１３５をベース取付部材１３０の貫通穴１３２ａに挿通させて、部材固定ネジ１３５をベース取付部材取付ボス１０２のネジ穴１０２ａにネジ止めする。これにより、ベース取付部材１３０がベース取付部材取付ボス１０２，１０２に取り付けられるとともに、ベース部材１２０が基枠体３０に支軸１０１（すなわちベース傾動軸部１２１）を中心に傾動可能に取り付けられる。
【００５３】
回転規制部材１４０は、図５および図６に示すように、板状の形態をなし、基枠体３０と同様の樹脂材料、例えばＡＢＳ樹脂等の樹脂材料を用いて射出成形等の成形手段により図示する形状に一体的に形成され、ベース部材１２０の台座部１２２に、整流部材１１０の回転を規制する回転規制位置（図９参照）と、整流部材１１０の回転規制を解除する非回転規制位置（図６参照）とに左右へスライド移動可能に取り付けられる。
【００５４】
回転規制部材１４０の左端前方側には、図９に示すように、回転規制位置において第１整流部材１１１の第１球当接部１１４が当接する第１整流部材当接部１４１が形成されるとともに、回転規制部材１４０の左端後方側には、回転規制位置において第２整流部材１１６の第２球当接部１１９が当接する第２整流部材当接部１４２が形成されている。
【００５５】
第１整流部材当接部１４１は、図９に示すように、回転規制部材１４０を回転規制位置にスライド移動させると、第１整流部材１１１の第１球当接部１１４の回動軌跡上に位置し、回動する第１球当接部１１４を第１整流部材当接部１４１に当接させることで第１整流部材１１１および第２整流部材１１６（すなわち整流部材１１０）の回転を規制するように構成されている。
【００５６】
第２整流部材当接部１４２は、回転規制部材１４０の左端前方側から下方に延びて形成され、回転規制部材１４０を回転規制位置にスライド移動させると、第２整流部材１１６の第２球当接部１１９の回動軌跡上で第１球当接部１１４と半ピッチ分（すなわち３０度）だけずれた箇所に位置し、回動する第２球当接部１１９を第２整流部材当接部１４２に当接させることで第１整流部材１１１および第２整流部材１１６（すなわち整流部材１１０）の回転を規制するように構成されている。
【００５７】
回転規制部材１４０の右端側には、作業者が回転規制部材１４０をスライド移動させるための操作部１４３が形成されている。操作部１４３は回転規制部材１４０の右端側から上方へ延びて板状に形成され、この操作部１４３に作業者が指を掛けて回転規制部材１４０をスライド移動させるようになっている。また、操作部１４３の回転規制部材１４０の左端部には、ネジ逃げ部１４３ａが上面視円弧状に形成されており、図９に示すように、回転規制部材１４０を回転規制位置にスライド移動させたときに、回転規制部材１４０をベース部材１２０の台座部１２２にスライド移動可能に取り付けるための回転規制部材取付ネジ１４５の頭部が操作部１４３と干渉しないようになっている。
【００５８】
回転規制部材１４０の中央部には、回転規制部材取付ネジ１４５が通過する長穴１４４が形成されており、この長穴１４４に回転規制部材取付ネジ１４５を挿通させ、回転規制部材取付ネジ１４５をベース部材１２０の回転規制部材取付穴１２２ａにネジ止めすることにより、回転規制部材１４０はベース部材１２０の台座部１２２に回転規制位置と非回転規制位置とに左右へスライド移動可能に取り付けられる。また、長穴１４４は、回転規制部材１４０を回転規制位置へスライド移動させると長穴１４４の一端側が回転規制部材取付ネジ１４５と当接して回転規制部材１４０の左方への移動を規制し、回転規制部材１４０を非回転規制位置へスライド移動させると長穴１４４の他端側が回転規制部材取付ネジ１４５と当接して回転規制部材１４０の右方への移動を規制するように構成されている。
【００５９】
傾動規制部材１５０は、図５および図６に示すように、基枠体３０と同様の樹脂材料、例えばＡＢＳ樹脂等の樹脂材料を用いて射出成形等の成形手段により図示する形状に一体的に形成される。傾動規制部材１５０の一端側には、揺動軸部１５１が形成されており、この揺動軸部１５１を中心軸として傾動規制部材１５０が揺動するように構成されている。揺動軸部１５１の中央部には、傾動規制部材１５０を基枠体３０に取り付けるための傾動規制部材取付ネジ１５５が通り抜ける貫通穴１５１ａが形成されている。さらに、揺動軸部１５１の中央部には、傾動規制部材取付ネジ１５５の頭部を受容するザグリ穴１５４が形成されており、傾動規制部材取付ネジ１５５の頭部の傾動規制部材１５０に対する突出量が少なくなるようになっている。
【００６０】
図５および図７に示すように、基枠体３０におけるベース部材１２０の傾動規制部材当接部１２３の上方には、傾動規制部材１５０を基枠体３０に取り付けるための傾動規制部材取付ボス１０４が形成されている。傾動規制部材取付ボス１０４は、基枠体３０の前後面から垂直に延びて円筒状に形成されており、その中央部には、傾動規制部材取付ネジ１５５がネジ止めされるネジ穴１０４ａが形成されている。そして、傾動規制部材取付ボス１０４に傾動規制部材１５０を位置合わせして、傾動規制部材取付ネジ１５５を揺動軸部１５１の貫通穴１５１ａに挿通させ、傾動規制部材取付ネジ１５５をネジ穴１０４ａにネジ止めすることより、傾動規制部材１５０が基枠体３０に傾動規制部材取付ネジ１５５（すなわち揺動軸部１５１）を中心に揺動可能に取り付けられる。
【００６１】
揺動軸部１５１の外周部には、ベース部材１２０が非整流位置において下方へ傾動するのを防止する下動防止部１５２が形成されている。下動防止部１５２は突起状に形成され、図８に示すように傾動規制部材１５０を揺動させた状態で、ベース部材１２０を非整流位置よりも上方から非整流位置へ傾動させると、ベース部材１２０に形成された傾動規制部材当接部１２３の下面側が下動防止部１５２に当接し、ベース部材１２０が非整流位置において下方へ傾動するのを防止するように構成されている。
【００６２】
傾動規制部材１５０の他端側には、ベース部材１２０が整流位置において上方へ傾動するのを防止する上動防止部１５３が形成されている。上動防止部１５３は板状に形成され、図６に示すように、ベース部材１２０を整流位置に位置させた状態で、傾動規制部材１５０を下方へ揺動させると上動防止部１５３がベース部材１２０に形成された傾動規制部材当接部１２３の上面側に当接し、ベース部材１２０が整流位置において上方へ傾動するのを防止するように構成されている。また、上動防止部１５３の下面側にはテーパ部１５３ａが形成されており、上動防止部１５３を傾動規制部材当接部１２３の上面側に当接させ易いようになっている。
【００６３】
このように構成される整流機構１００において、図６に示すように、ベース部材１２０を整流位置に傾動させた状態で、傾動規制部材１５０の上動防止部１５３をベース部材１２０の傾動規制部材当接部１２３の上面側に当接させて傾動規制部材取付ネジ１５５により傾動規制部材１５０をネジ止め固定するとともに、回転規制部材１４０を非回転規制位置にスライド移動させて回転規制部材取付ネジ１４５により回転規制部材１４０をネジ止め固定する。
【００６４】
そうすると、予備賞球通路４２ａを流下する予備賞球は第１整流部材１１１の第１球当接部１１４の縁部に当接し、予備賞球の自重により第１球当接部１１４が押圧されて第２整流部材１１６の第２球当接部１１９とともに第１回転軸部１１２を中心軸として回動すると同時に、予備賞球が互いに隣接する第１球当接部１１４，１１４の間隙部に位置しながら予備賞球通路４２ａを流下し、第１球当接部１１４の回動に伴い予備賞球が第１球当接部１１４から離れて偏向出口４３へ向かい、偏向出口４３から予備賞球が賞球払出機構５０の賞球待機通路５２ａに送り出される。
【００６５】
そして、予備賞球が連続して予備賞球通路４２ａを流下する場合には、第１球当接部１１４の回動に伴い予備賞球が第１球当接部１１４から離れると、この第１球当接部１１４の予備賞球通路４２ａにおける上流側に隣接する第１球当接部１１４に先の予備賞球の上流側に隣接する予備賞球が当接し、以下同様にして予備賞球の一つがそれぞれ第１球当接部１１４の一つに当接して回動させながら連続して予備賞球通路４２ａを流下する。
【００６６】
一方、予備賞球通路４２ｂを流下する予備賞球は第２整流部材１１６の第２球当接部１１９の縁部に当接し、予備賞球の自重により第２球当接部１１９が押圧されて第１球当接部１１４とともに第２回転軸部１１７（第１回転軸部１１２）を中心軸として回動すると同時に、予備賞球が互いに隣接する第２球当接部１１９，１１９の間隙部に位置しながら予備賞球通路４２ｂを流下し、第２球当接部１１９の回動に伴い予備賞球が第２球当接部１１９から離れて偏向出口４３へ向かい、偏向出口４３から予備賞球が賞球払出機構５０の賞球待機通路５２ａに送り出される。
【００６７】
そして、予備賞球が連続して予備賞球通路４２ｂを流下する場合には、第２球当接部１１９の回動に伴い予備賞球が第２球当接部１１９から離れると、この第２球当接部１１９の予備賞球通路４２ｂにおける上流側に隣接する第２球当接部１１９に先の予備賞球の上流側に隣接する予備賞球が当接し、以下同様にして予備賞球の一つがそれぞれ第２球当接部１１９の一つに当接して回動させながら連続して予備賞球通路４２ｂを流下する。
【００６８】
このとき、第１球当接部１１４と第２球当接部１１９とが第１回転軸部１１２（第２回転軸部１１７）を中心軸として同時に回動し、また、第２球当接部１１９の形成位置が第１球当接部１１４の形成位置よりも半ピッチ分だけ回転してずれているため、前後二列の予備賞球通路４２ａ，４２ｂを連続して流下する予備賞球は第１球当接部１１４および第２球当接部１１９に互いに半個分ずれたタイミングで次々と当接し、第１球当接部１１４および第２球当接部１１９の回動に伴い前列の予備賞球通路４２ａと後列の予備賞球通路４２ｂとから交互に予備賞球が偏向出口４３へ流下し、偏向出口４３から滑らかに予備賞球が１列で賞球払出機構５０の賞球待機通路５２ａに送り出される。すなわち、整流機構１００を構成する整流部材１１０により複数列の球通路（予備賞球通路４２ａ，４２ｂ）から前記複数列よりも少ない列の球通路（賞球待機通路５２ａ）へ各列順に遊技球（予備賞球）を流下させる整流が行われる。
【００６９】
なおこのとき、ベース部材１２０の係合穴部１２５を構成する係合部１２５ｂが導入部１２５ａの下端部から繋がって右方へ延びるように形成されているため、整流部材１１０の各球当接部１１４，１１９が左方から右方へ流下する予備賞球に押圧されても、第１整流部材１１１の係合軸部１１３は係合部１２５ｂの右端に位置し、係合穴部１２５との係合がはずれることはない。また、上動防止部１５３が傾動規制部材当接部１２３の上面側に当接しているため、各球当接部１１４，１１９が左方から右方へ流下する予備賞球に押圧されても、ベース部材１２０が上方へ傾動することはない。
【００７０】
またこのとき、図９に示すように、回転規制部材１４０を回転規制位置にスライド移動させて回転規制部材取付ネジ１４５により回転規制部材１４０をネジ止め固定すると、回転規制部材１４０の第１整流部材当接部１４１が第１整流部材１１１の第１球当接部１１４の回動軌跡上に位置するとともに、第２整流部材当接部１４２が第２整流部材１１６の第２球当接部１１９の回動軌跡上に位置する。そして、第１球当接部１１４が第１整流部材当接部１４１に当接すると同時に、第２球当接部１１９が第２整流部材当接部１４２に当接することにより、第１整流部材１１１および第２整流部材１１６（すなわち整流部材１１０）の回転が規制される。
【００７１】
これにより、予備賞球通路４２ａ，４２ｂにおける整流部材１１０よりも上流側に位置する予備賞球の流下が妨げられるため、タンク部材４１に貯留する予備賞球を残したまま整流部材１１０よりも下流側に位置する予備賞球を球抜き機構等によりパチンコ機ＰＭの外部に排出させることができる。すなわち、整流機構１００は整流部材１１０よりも上流側に位置する予備賞球の流下を止める球止め機構としても機能する。
【００７２】
また、図８に示すようにベース部材１２０を非整流位置に位置させるには、まず傾動規制部材１５０を傾動規制部材１５０の下動防止部１５２がベース部材１２０と当接しない位置、例えば上動防止部１５３が左方に向けられる略水平位置に揺動させる。次に、ベース部材１２０を非整流位置よりも上方へ傾動させ、傾動規制部材１５０を図８に示す位置に揺動させて傾動規制部材取付ネジ１５５により傾動規制部材１５０をネジ止め固定する。そして、ベース部材１２０を非整流位置よりも上方から非整流位置へ傾動させると、ベース部材１２０に形成された傾動規制部材当接部１２３の下面側が下動防止部１５２に当接し、ベース部材１２０が非整流位置に固定される。これにより、予備賞球通路４２ａ，４２ｂの清掃作業を容易に行うことができる。
【００７３】
なおこのとき、ベース部材１２０の係合穴部１２５を構成する係合部１２５ｂが導入部１２５ａの下端部から繋がって右方へ延びるように形成されているため、ベース部材１２０を非整流位置へ傾動させても、第１整流部材１１１の係合軸部１１３は自重により係合部１２５ｂの右端に位置し、係合穴部１２５との係合がはずれることはない。また、基枠体３０に形成されたベース取付部材取付ボス１０２，１０２によりベース部材１２０の傾動範囲が規制されているため、ベース部材１２０が必要以上に傾動して係合軸部１１３と係合穴部１２５との係合がはずれることはない。
【００７４】
このため、以上のような構成のパチンコ機ＰＭによれば、第１球流下通路（予備賞球通路４２ａ，４２ｂ）と第２球流下通路（賞球待機通路５２ａ）との接続部に設けられた整流機構１００により、複数列の球通路を有する第１球流下通路（予備賞球通路４２ａ，４２ｂ）から前記複数列よりも少ない列の球通路を有する第２球流下通路（賞球待機通路５２ａ）へ滑らかに遊技球を流下させることができるため、複数列の球通路を有する球流下通路に配設されていた装置の構造を簡略化することができる。
【００７５】
次に、整流機構の第二実施形態について図１４〜図２０を参照して説明する。ここで、図１４は整流機構２００の分解平面図（部分断面図）、図１５は整流機構２００の背面図（部分断面図）、図１６は整流機構２００の背断面図（部分断面図）、図１７は図１５中の矢印ＸＶＩＩ−ＸＶＩＩに沿った部分側断面図、図１８は整流機構２００に構成されるベース部材２２０および回転規制部材２４０の斜視図（部分断面図）、図１９は整流機構２００に構成される整流部材２１０の分解平面図、そして図２０は整流機構２００に構成される整流部材２１０の分解背面図（部分断面図）である。なお、本実施例の整流機構２００は、上述した第一実施例の整流機構１００と基枠体３０およびタンクレール４２の一部形状のみ異なり、他の装置構成は同様であるため同一部位に同一番号を付して重複説明を省略する。
【００７６】
本実施例における整流機構２００は、図１４に示すように、予備賞球通路４２ａ，４２ｂを流下する予備賞球を整流する整流部材２１０と、整流部材２１０が回転可能に取り付けられるベース部材２２０と、整流部材２１０を枢支するベース部材取付ネジ２３０と、整流部材２１０の回転を規制する回転規制部材２４０と、ベース部材２２０の傾動を規制する傾動規制部材２５０とから構成される。
【００７７】
整流部材２１０は、図１９に示すように、パチンコ機ＰＭにおける前方側に位置する第１整流部材２１１と、後方側に位置する第２整流部材２１６と、第１整流部材２１１と第２整流部材２１６とが回転可能に取り付けられる軸部材２６０とから構成される。第１整流部材２１１は、図２０に示すような歯車状の形態をなし、基枠体３０と同様の樹脂材料、例えばＡＢＳ樹脂等の樹脂材料を用いて射出成形等の成形手段により図示する形状に一体的に形成される。
【００７８】
第１整流部材２１１の中央部には、軸部材２６０の第１角穴係合部２６２ａと係合する第１六角穴２１２が形成されており、この第１六角穴２１２が第１角穴係合部２６２ａと係合すると、第１整流部材２１１が軸部材２６０を中心軸として回転可能に取り付けられるように構成されている。第１整流部材２１１の外周部には、予備賞球が当接する山型の第１球当接部２１４が第一実施形態における第１球当接部１１４と同様に６０度間隔で六カ所形成されている。
【００７９】
第２整流部材２１６は、図２０に示すように第１整流部材２１１と同一形状を有して、基枠体３０と同様の樹脂材料、例えばＡＢＳ樹脂等の樹脂材料を用いて射出成形等の成形手段により図示する形状に一体的に形成される。第２整流部材２１２の中央部には、軸部材２６０の第２角穴係合部２６２ｂと係合する第２六角穴２１７が形成されており、この第２六角穴２１７が第２角穴係合部２６２ｂと係合すると、第２整流部材２１６が軸部材２６０を中心軸として回転可能に取り付けられるように構成されている。第２整流部材２１６の外周部には、予備賞球が当接する山型の第２球当接部２１９が第１球当接部２１４と同様に６０度間隔で六カ所形成されている。
【００８０】
軸部材２６０は、図１９および図２０に示すような棒状の形態をなし、基体３０と同様の樹脂材料、例えばＡＢＳ樹脂等の樹脂材料を用いて射出成形等の成形手段により図示する形状に一体的に形成される。軸部材２６０の一端側には、第１整流部材２１１の第１六角穴２１２と係合する六角柱状の第１角穴係合部２６２ａが形成されるとともに、軸部材２６０の他端側には、第２整流部材２１６の第２六角穴２１７と係合する第２角穴係合部２６２ｂが第１角穴係合部２６２ａの形成位置よりも軸部材２６０を中心に３０度だけ回転して位置するように形成されている。
【００８１】
軸部材２６０の両端側面には、ベース部材２２０の係合穴部２２５，２２５と係合する係合軸部２６３，２６３が軸部材２６０と同じ中心軸を有して形成されており、図１６に示すように、係合軸部２６３，２６３が係合穴部２２５，２２５と係合することにより、軸部材２６０と軸部材２６０に取り付けられる第１整流部材２１１および第２整流部材２１６（すなわち整流部材２１０）とがベース部材２２０に軸部材２６０を中心軸として回転可能に取り付けられるように構成されている。
【００８２】
そして、第１整流部材２１１の第１六角穴２１２を軸部材２６０の第１角穴係合部２６２ａに係合させて第１整流部材２１１を軸部材２６０に取り付けるとともに、第２整流部材２１６の第２六角穴２１７を軸部材２６０の第２角穴係合部２６２ｂに係合させて第２整流部材２１６を軸部材２６０に取り付けることで整流部材２１０が形成される。そのため、第１球当接部２１４または第２球当接部２１９に予備賞球が当接すると、第１球当接部２１４と第２球当接部２１９とが軸部材２６０を中心軸として同時に回動する。このとき、第２角穴係合部２６２ｂが第１角穴係合部２６２ａの形成位置よりも軸部材２６０を中心に３０度だけ回転して位置するように形成されているため、第２球当接部２１９の形成位置が第１球当接部１１４の形成位置よりも軸部材２６０の中心軸を中心に３０度、すなわち半ピッチ分だけ回転してずれた状態となり、前後二列の予備賞球通路４２ａ，４２ｂを流下する予備賞球が第１球当接部２１４および第２球当接部２１９に互いに半個分ずれたタイミングで当接する。
【００８３】
ベース部材２２０は、図１４に示すように、枠状の形態をなし、基枠体３０と同様の樹脂材料、例えばＡＢＳ樹脂等の樹脂材料を用いて射出成形等の成形手段により図示する形状に一体的に形成される。ベース部材２２０の一端側には円筒状のベース傾動軸部２２１が形成されており、このベース傾動軸部２２１を中心軸として、ベース部材２２０が、図１６の実線で示すように予備賞球通路４２ａ，４２ｂを流下する予備賞球を整流する整流位置と、図１６の２点鎖線で示すような非整流位置とに傾動するように構成されている。ベース傾動軸部２２１の中央部には、ベース部材取付ビス２３０を挿通させるための支軸穴２２１ａが形成されている。
【００８４】
ベース部材２２０の他端側には、傾動規制部材２５０と当接する傾動規制部材当接部２２３が形成されている。傾動規制部材当接部２２３は、図１６に示すように断面視台形状に形成され、ベース部材２２０が整流位置に位置するときに、傾動規制部材当接部２２３の上面側と傾動規制部材２５０のストッパ部２５２の下面側とが当接可能となっている。傾動規制部材当接部２２３の下面側は、上面側に対して傾斜するように形成され、ベース部材２２０が非整流位置に位置するときにストッパ部２５２の上面側と当接可能となっている。
【００８５】
ベース部材２２０の一端側に近い両側面には、回転規制部材２４０をスライド移動可能に取り付けるためのスライド溝２２２，２２２が形成されている。図１８にも示すように、スライド溝２２２，２２２は、ベース部材２２０の側面側においてベース部材２２０の中央部に形成された折れ曲がり部２２６，２２６からベース傾動軸部２２１へ延びるようにして形成され、このスライド溝２２２，２２２に回転規制部材２４０を挿通させることにより、回転規制部材２４０がベース部材２２０にスライド移動可能に取り付けられるように構成されている。
【００８６】
ベース部材２２０の他端側に近い両側面には、軸部材２６０の係合軸部２６３，２６３と係合する係合穴部２２５，２２５が形成されている。図１６に示すように、係合穴部２２５はＬ字型の長穴状に形成され、ベース部材２２０の側面上端部から下方へ延びる導入部２２５ａと、導入部２２５ａの下端部から右方へ延びる係合部２２５ｂとから構成される。
【００８７】
導入部２２５ａは、係合軸部２６３の軸径よりも若干大きい幅を有してベース部材２２０の側面上端部から下方へ延びるように形成され、係合軸部２６３をベース部材２２０の側面上端部から導入部２２５ａの下端部で繋がる係合部２２５ｂへ導くようになっている。係合部２２５ｂは、導入部２２５ａと同様に係合軸部２６３の軸径よりも若干大きい幅を有して導入部２２５ａの下端部から繋がって右方へ延びるように形成され、導入部２２５ａに導かれた係合軸部２６３が係合部２２５ｂに位置することで、係合軸部２６３が係合穴部２２５と係合するようになっている。なお、係合軸部２６３が係合穴部２２５と係合した状態で係合穴部２２５内を移動可能であることから、係合穴部２２５は整流部材２１０が予備賞球から受ける球圧を逃がす機能も有している。
【００８８】
ベース部材取付ネジ２３０は、図１４に示すように、金属製の丸棒からネジ状に切り出し成形され、ベース部材２２０の支軸穴２２１ａを通り抜けて基枠体３０に固定されることにより、ベース部材２２０を傾動可能に枢支するように構成されている。
【００８９】
また、タンクレール４２の右端には、ベース部材２２０を整流位置と非整流位置とに傾動可能に取り付けるためのベース部材取付部２７０が形成されている。図１４に示すように、ベース部材取付部２７０は主として、ベース部材２２０が傾動可能に取り付けられる第１ベース部材取付部２７１および第２ベース部材取付部２７５と、ベース部材２２０を整流位置にて支持するベース部材支持部２７８とから構成される。
【００９０】
第１ベース部材取付部２７１は、タンクレール４２の偏向出口４３から基枠体３０に沿って右方へ板状に延びるように形成される。第１ベース部材取付部２７１の上部には第１取付ネジ２８３が通過する長穴２７２が形成されており、ベース部材取付部２７０すなわちタンクレール４２の取付位置および角度を調整可能になっている。そして、第１取付ネジ２８３が長穴２７２を通過して基枠体３０に設けられた第１取付ボス２８６へ取り付けられることにより、第１ベース部材取付部２７１の上部は、第１取付ネジ２８３により第１ブッシュ２８１とともに基枠体３０に取り付け固定されるようになっている。なお、第１ブッシュ２８１は円筒状に形成されており、ベース部材２２０が非整流位置に傾動するとベース部材２２０の上面側が第１ブッシュ２８１に当接し、ベース部材２２０の非整流位置から上方への傾動を規制するように構成されている。
【００９１】
また、第１ベース部材取付部２７１の下部には第２取付ネジ２８４が通過する固定穴（図示せず）が形成されており、第２取付ネジ２８４が固定穴を通過して基枠体３０に設けられた第２取付ボス２８７へ取り付けられることにより、第１ベース部材取付部２７１の下部は、第２取付ネジ２８４により第２ブッシュ２８２とともに基枠体３０に取り付け固定されるようになっている。さらに、第１ベース部材取付部２７１の右端には、ベース部材取付ネジ２３０が通り抜ける第１ボス部２７４が貫通穴２７４ａを有して形成されている。
【００９２】
第２ベース部材取付部２７５は、タンクレール４２の偏向出口４３からタンクレール４２の後方壁部と繋がって右方へ板状に延びるように形成され、第１ベース部材取付部２７５の右端には、ベース部材取付ネジ２３０が通り抜ける第２ボス部２７６が貫通穴２７６ａを有して形成されている。
【００９３】
ベース部材支持部２７８は、第１ベース部材取付部２７１と第２ベース部材取付部２７５とに跨る板状に形成され、ベース部材２２０が整流位置に傾動するとベース部材２２０の下面側がベース部材支持部２７８の上面側に当接し、ベース部材２２０が整流位置にて支持固定されるようになっている。
【００９４】
そして、ベース部材取付ネジ２３０を、第２ボス部２７６の貫通穴２７６ａ、ベース部材２２０の支軸穴２２１ａ、そして第１ボス部２７４の貫通穴２７４ａの順でそれぞれ挿通させ、ベース部材取付ネジ２３０を基枠体３０に設けられた第３取付ボス２８８に取り付けることにより、ベース部材２２０がベース部材取付部２７０にベース部材取付ネジ２３０（すなわちベース傾動軸部２２１）を中心に整流位置と非整流位置とに傾動可能に取り付けられる。
【００９５】
回転規制部材２４０は、図１４および図１８に示すように、所定板厚の金属板を切断、折り曲げ、孔あけなどの成形手段により図示する形状に形成され、ベース部材２２０のスライド溝２２２，２２２に、整流部材２１０の回転を規制する回転規制位置（図示せず）と、整流部材２１０の回転規制を解除する非回転規制位置（図１６参照）とに左右へスライド移動可能に取り付けられる。
【００９６】
回転規制部材２４０の左端前方側には、回転規制位置において第１整流部材２１１の第１球当接部２１４が当接する第１整流部材当接部２４１が形成されるとともに、回転規制部材２４０の左端後方側には、回転規制位置において第２整流部材２１６の第２球当接部２１９が当接する第２整流部材当接部２４２が形成されている。
【００９７】
第１整流部材当接部２４１は、回転規制部材２４０を回転規制位置にスライド移動させると、第１整流部材２１１の第１球当接部２１４の回動軌跡上に位置し、回動する第１球当接部２１４を第１整流部材当接部２４１に当接させることで軸部材２６０と軸部材２６０に取り付けられる第１整流部材２１１および第２整流部材２１６（すなわち整流部材２１０）の回転を規制するように構成されている。
【００９８】
第２整流部材当接部２４２は、回転規制部材２４０の左端前方側から下方に延びて形成され、回転規制部材２４０を回転規制位置にスライド移動させると、第２整流部材２１６の第２球当接部２１９の回動軌跡上で第１球当接部２１４と半ピッチ分（すなわち３０度）だけずれた箇所に位置し、回動する第２球当接部２１９を第２整流部材当接部２４２に当接させることで軸部材２６０と軸部材２６０に取り付けられる第１整流部材２１１および第２整流部材２１６（すなわち整流部材２１０）の回転を規制するように構成されている。
【００９９】
回転規制部材２４０の両側端部には、回転規制部材２４０の前後方向への移動を規制する折り曲げ部２４３，２４３が形成されている。折り曲げ部２４３，２４３は、図１７に示すように、ベース部材２２０の外側面に沿うように垂直下方へ折り曲げ形成され、回転規制部材２４０の前後方向への移動を規制するように構成される。なお、図１８に示すように、ベース部材２２０の折れ曲がり部２２６，２２６には、スライド溝２２２，２２２と繋がって形成された切り欠き部２２２ａ，２２２ａが形成されており、この切り欠き部２２２ａ，２２２ａに折り曲げ部２４３，２４３をそれぞれ挿通させることにより、回転規制部材２４０はスライド溝２２２，２２２にスライド移動可能に取り付けられる。
【０１００】
回転規制部材２４０の中央部には、回転規制部材２４０を回転規制位置および非回転規制位置に固定するための回転規制部材固定ネジ２４５が取り付けられるネジ穴２４４が形成されている。回転規制部材固定ネジ２４５は、図１６および図１８に示すように、金属製の丸棒からネジ状に切り出し成形され、ネジ穴２４４に取り付けられた状態で、回転規制部材固定ネジ２４５を時計回り（回転規制部材固定ネジ２４５が下方へ進む方向）に回転させ下方へ移動させるとベース部材支持部２７８の上面側に当接するように構成される。
【０１０１】
このとき、さらに回転規制部材固定ネジ２４５を時計回りに回転させると、回転規制部材２４０が上方へ移動してベース部材２２０のスライド溝２２２，２２２上面に当接し、回転規制部材２４０と傾動規制部材２５０に固定されたベース部材２２０のスライド溝２２２，２２２との間に作用する摩擦力により回転規制部材２４０の左右方向への移動が規制されるようになっている。また、回転規制部材固定ネジ２４５の頭部は六角形状に形成されており、回転規制部材固定ネジ２４５の頭部に作業者が指を掛けて回転規制部材１４０をスライド移動させ易くなっている。
【０１０２】
傾動規制部材２５０は、図１４および図１５に示すように、基枠体３０と同様の樹脂材料、例えばＡＢＳ樹脂等の樹脂材料を用いて射出成形等の成形手段により図示する形状に一体的に形成される。揺動軸部１５１の中央部には、傾動規制部材２５０を傾動規制部材取付部２８９に取り付けるための傾動規制部材取付ネジ１５５が通り抜ける長穴２５１が形成されている。
【０１０３】
図１４および図１５に示すように、基枠体３０におけるベース部材２２０の傾動規制部材当接部２２３の左上方には、傾動規制部材２５０がスライド移動可能に取り付けられる傾動規制部材取付部２８９が形成されている。傾動規制部材取付部２８９は、基枠体３０に傾動規制部材２５０の外形に合わせたガイド状に形成され、傾動規制部材２５０がスライド移動可能に取り付けられるように構成される。そして、傾動規制部材取付部２８９に傾動規制部材２５０を位置合わせして、傾動規制部材取付ネジ２５５を傾動規制部材２５０の長穴２５１に挿通させ、傾動規制部材取付ネジ２５５を傾動規制部材取付部２８９に形成された傾動規制部材取付穴（図示せず）にネジ止めすることより、傾動規制部材２５０が傾動規制部材取付部２８９にスライド移動可能に取り付けられる。
【０１０４】
傾動規制部材２５０の下部には、ベース部材２２０の傾動を規制するストッパ部２５２が形成されている。ストッパ部２５２は板状に形成され、図１６の実線に示すように、ベース部材２２０が整流位置に位置する状態で傾動規制部材２５０を左方へスライド移動させるとストッパ部２５２の下面側がベース部材２２０の傾動規制部材当接部２２３の上面側に当接し、図１６の２点鎖線に示すように、ベース部材２２０が非整流位置に位置する状態で傾動規制部材２５０を左方へスライド移動させるとストッパ部２５２の上面側が傾動規制部材当接部２２３の下面側に当接してベース部材２２０の傾動を規制するように構成されている。また、ストッパ部２５２の下面側にはテーパ部２５２ａが形成されており、ストッパ部２５２をスライド移動させて傾動規制部材当接部２２３の上面側に当接させ易いようになっている。
【０１０５】
このように構成される整流機構２００において、図１６の実線に示すように、ベース部材２２０を整流位置に傾動させた状態で、傾動規制部材２５０を傾動規制部材２５０のストッパ部２５２の下面側がベース部材２２０の傾動規制部材当接部２２３の上面側と当接する位置まで左方へスライド移動させて傾動規制部材取付ネジ２５５により傾動規制部材２５０をネジ止め固定するとともに、回転規制部材２４０を非回転規制位置にスライド移動させ、回転規制部材固定ネジ２４５により回転規制部材２４０を傾動規制部材２５０に固定されたベース部材２２０のスライド溝２２２，２２２上面に当接させて回転規制部材２４０を固定する。
【０１０６】
そうすると、予備賞球通路４２ａを流下する予備賞球は第１整流部材２１１の第１球当接部２１４の縁部に当接し、予備賞球の自重により第１球当接部２１４が押圧されて第２整流部材２１６の第２球当接部２１９とともに軸部材２６０を中心軸として回動すると同時に、予備賞球が互いに隣接する第１球当接部２１４，２１４の間隙部に位置しながら予備賞球通路４２ａを流下し、第１球当接部２１４の回動に伴い予備賞球が第１球当接部２１４から離れて偏向出口４３へ向かい、偏向出口４３から予備賞球が賞球払出機構５０の賞球待機通路５２ａに送り出される。
【０１０７】
そして、予備賞球が連続して予備賞球通路４２ａを流下する場合には、第１球当接部２１４の回動に伴い予備賞球が第１球当接部２１４から離れると、この第１球当接部２１４の予備賞球通路４２ａにおける上流側に隣接する第１球当接部２１４に先の予備賞球の上流側に隣接する予備賞球が当接し、以下同様にして予備賞球の一つがそれぞれ第１球当接部２１４の一つに当接して回動させながら連続して予備賞球通路４２ａを流下する。
【０１０８】
一方、予備賞球通路４２ｂを流下する予備賞球は第２整流部材２１６の第２球当接部２１９の縁部に当接し、予備賞球の自重により第２球当接部２１９が押圧されて第１球当接部２１４とともに軸部材２６０を中心軸として回動すると同時に、予備賞球が互いに隣接する第２球当接部２１９，２１９の間隙部に位置しながら予備賞球通路４２ｂを流下し、第２球当接部２１９の回動に伴い予備賞球が第２球当接部２１９から離れて偏向出口４３へ向かい、偏向出口４３から予備賞球が賞球払出機構５０の賞球待機通路５２ａに送り出される。
【０１０９】
そして、予備賞球が連続して予備賞球通路４２ｂを流下する場合には、第２球当接部２１９の回動に伴い予備賞球が第２球当接部２１９から離れると、この第２球当接部２１９の予備賞球通路４２ｂにおける上流側に隣接する第２球当接部２１９に先の予備賞球の上流側に隣接する予備賞球が当接し、以下同様にして予備賞球の一つがそれぞれ第２球当接部２１９の一つに当接して回動させながら連続して予備賞球通路４２ｂを流下する。
【０１１０】
このとき、第１球当接部２１４と第２球当接部２１９とが軸部材２６０を中心軸として同時に回動し、また、第２球当接部２１９の形成位置が第１球当接部２１４の形成位置よりも半ピッチ分だけ回転してずれているため、前後二列の予備賞球通路４２ａ，４２ｂを連続して流下する予備賞球は第１球当接部２１４および第２球当接部２１９に互いに半個分ずれたタイミングで次々と当接し、第１球当接部２１４および第２球当接部２１９の回動に伴い前列の予備賞球通路４２ａと後列の予備賞球通路４２ｂとから交互に予備賞球が偏向出口４３へ流下し、偏向出口４３から滑らかに予備賞球が１列で賞球払出機構５０の賞球待機通路５２ａに送り出される。すなわち、整流機構２００を構成する整流部材２１０により複数列の球通路（予備賞球通路４２ａ，４２ｂ）から前記複数列よりも少ない列の球通路（賞球待機通路５２ａ）へ各列順に遊技球（予備賞球）を流下させる整流が行われる。
【０１１１】
なおこのとき、ベース部材２２０の係合穴部２２５を構成する係合部２２５ｂが導入部２２５ａの下端部から繋がって右方へ延びるように形成されているため、整流部材２１０の各球当接部２１４，２１９が左方から右方へ流下する予備賞球に押圧されても、軸部材２６０の係合軸部２６３は係合部２２５ｂの右端に位置し、係合穴部２２５との係合がはずれることはない。また、ストッパ部２５２の下面側が傾動規制部材当接部２２３の上面側に当接しているため、各球当接部２１４，２１９が左方から右方へ流下する予備賞球に押圧されても、ベース部材２２０が上方へ傾動することはなく、さらに回転規制部材固定ネジ２４５により回転規制部材２４０がベース部材２２０のスライド溝２２２，２２２上面に当接しても、ベース部材２２０が上方へ傾動することはない。
【０１１２】
またこのとき、回転規制部材２４０を回転規制位置にスライド移動させ、回転規制部材固定ネジ２４５により回転規制部材２４０を傾動規制部材２５０に固定されたベース部材２２０のスライド溝２２２，２２２上面に当接させて回転規制部材２４０を固定すると、回転規制部材２４０の第１整流部材当接部２４１が第１整流部材２１１の第１球当接部２１４の回動軌跡上に位置するとともに、第２整流部材当接部２４２が第２整流部材２１６の第２球当接部２１９の回動軌跡上に位置する。そして、第１球当接部２１４が第１整流部材当接部２４１に当接すると同時に、第２球当接部２１９が第２整流部材当接部２４２に当接することにより、軸部材２６０と軸部材２６０に取り付けられる第１整流部材２１１および第２整流部材２１６（すなわち整流部材２１０）の回転が規制される。
【０１１３】
これにより、予備賞球通路４２ａ，４２ｂにおける整流部材２１０よりも上流側に位置する予備賞球の流下が妨げられるため、タンク部材４１に貯留する予備賞球を残したまま整流部材２１０よりも下流側に位置する予備賞球を球抜き機構等によりパチンコ機ＰＭの外部に排出させることができる。すなわち、整流機構２００は整流部材２１０よりも上流側に位置する予備賞球の流下を止める球止め機構としても機能する。
【０１１４】
また、図１６の２点鎖線に示すようにベース部材２２０を非整流位置に位置させるには、まず傾動規制部材２５０を傾動規制部材２５０のストッパ部２５２がベース部材２２０の傾動規制部材当接部２２３と当接しない位置まで左方へスライド移動させる。次に、ベース部材２２０を非整流位置に傾動させ、傾動規制部材２５０をストッパ部２５２が傾動規制部材当接部２２３の下面側に当接する位置まで右方へスライド移動させて傾動規制部材取付ネジ２５５により傾動規制部材２５０をネジ止め固定する。そうすると、傾動規制部材当接部２２３の下面側がストッパ部の２５２の上面側に当接した状態で、ベース部材２２０が非整流位置に固定される。これにより、予備賞球通路４２ａ，４２ｂの清掃作業を容易に行うことができる。
【０１１５】
なおこのとき、ベース部材２２０の係合穴部２２５を構成する係合部２２５ｂが導入部２２５ａの下端部から繋がって右方へ延びるように形成されているため、ベース部材２２０を非整流位置へ傾動させても、軸部材２６０の係合軸部２６３は自重により係合部２２５ｂの右端に位置し、係合穴部２２５との係合がはずれることはない。また、ベース部材２２０の傾動範囲が規制されているため、ベース部材２２０が必要以上に傾動して係合軸部２６３と係合穴部２２５との係合がはずれることはない。
【０１１６】
このため、以上のような構成のパチンコ機ＰＭによれば、第１球流下通路（予備賞球通路４２ａ，４２ｂ）と第２球流下通路（賞球待機通路５２ａ）との接続部に設けられた整流機構２００により、複数列の球通路を有する第１球流下通路（予備賞球通路４２ａ，４２ｂ）から前記複数列よりも少ない列の球通路を有する第２球流下通路（賞球待機通路５２ａ）へ滑らかに遊技球を流下させることができるため、複数列の球通路を有する球流下通路に配設されていた装置の構造を簡略化することができる。
【０１１７】
なお、整流機構２００に構成されるベース部材２２０がタンクレール４２（ベース部材取付部２７０）に直接取り付けられているため、本実施形態における整流機構２００のタンクレール４２に対する位置精度は、第一実施形態の整流機構１００のように、基枠体３０に取り付けられたベース部材１２０の移動を規制するベース部材当接溝４５をタンクレール４２に形成し、整流機構１００とタンクレール４２との位置整合を行う場合よりも向上したものとなっている。
【０１１８】
なお、上述の各実施形態において、第１整流部材および第２整流部材の外周部に球当接部が６０度間隔で六カ所形成されるとともに、各整流部材に形成された六角穴と軸部材に形成された六角柱状の角穴係合部とが係合することにより第１整流部材と第２整流部材とが六角形の半ピッチ分（３０度）だけずれて組み合わさるように構成されているが、これに限られるものではなく、第１整流部材および第２整流部材の外周部に球当接部が６０度間隔で六カ所形成されるとともに、各整流部材に形成された十二角穴と軸部材に形成された十二角柱状の角穴係合部とが係合することにより第１整流部材と第２整流部材とが十二角形の１ピッチ分（３０度）だけずれて組み合わさるように構成されてもよい。このようにすれば、第１整流部材と第２整流部材とを同一形状にすることができる。
【０１１９】
また、図２１に示すように、第１整流部材３１１および第２整流部材３１６の外周部に第１球当接部３１４および第２当接部３１９が４５度間隔で八カ所形成されるとともに、第１整流部材３１１および第２整流部材３１６に形成された第１六角穴３１２および第２六角穴３１７と軸部材３６０に形成された六角柱状の第１角穴係合部３６２ａおよび第２角穴係合部３６２ｂとが係合することにより、第１整流部材３１１と第２整流部材３１６とが六角形の半ピッチ分（３０度）だけずれて組み合わさるようにして整流部材３１０が形成されてもよく、整流部材３１０により前列の予備賞球通路４２ａと後列の予備賞球通路４２ｂとから交互に予備賞球が偏向出口４３へ流下するように構成されていればよい。
【０１２０】
また、上述の各実施形態において、作業者が手動でベース部材を整流位置および非整流位置に傾動させた後、傾動規制部材によりベース部材の傾動を規制してベース部材を整流位置および非整流位置に位置させるようにしているが、これに限られるものではなく、傾動規制部材を操作してベース部材を整流位置および非整流位置に傾動させるようにしてもよい。
【０１２１】
例えば、図２２に示すように傾動規制部材３５０を形成し、傾動規制部材３５０の中央部に形成された長穴３５１に基枠体３０に形成された軸部３５７を挿入し、傾動規制部材取付ネジ３５５および座金３５６により傾動規制部材３５０を基枠体３０に回動かつスライド移動可能に取り付ける。そして、傾動規制部材３５０の一端側下部から右方へ突出するストッパ部３５２を形成し、ベース部材３２０を整流位置に位置させるときには、ストッパ部３５２の下面側をベース部材３２０の傾動規制部材当接部３２３の上面側に当接させてベース部材３２０の上方への傾動を規制し、ベース部材３２０を非整流位置に位置させるときには、傾動規制部材３５０の一端側上部に形成された操作部３５４を摘んで、傾動規制部材３５０をストッパ部３５２の上面側が傾動規制部材当接部３２３の下面側に当接する位置へ移動し、続いて傾動規制部材３５０をベース部材３２０が非整流位置に位置するまで回動させるようにすればよい。
【０１２２】
さらに、上述の各実施形態において、待機通路部材５２の上部（球有無検出スイッチ５１の直下）に予備賞球を遊技施設側の回収バケットに強制的に排出させるための球抜き機構が設けられているが、これに限られるものではなく、球抜き機構を設けなくてもよい。
【０１２３】
また、上述の各実施形態において、球切れ検出スイッチ５１の上部に賞球待機通路５２ａにおける球抜き機構よりも下流側に位置する予備賞球を排出させるための疑似球有り状態創出機構が設けられているが、これに限られるものではなく、疑似球有り状態創出機構を設けなくてもよい。
【０１２４】
さらに、上述の各実施形態において、整流機構は、２列の球通路を有する予備賞球通路４２ａ，４２ｂから１列の球通路を有する賞球待機通路５２ａへ滑らかに遊技球（予備賞球）を流下させるように構成されているが、これに限られるものではなく、複数列の球通路を有する予備賞球通路から前記複数列よりも少ない列の球通路を有する賞球待機通路へ滑らかに遊技球（予備賞球）を流下させるように構成されていればよい。
【０１２５】
また、上述の各実施形態において、予備賞球通路４２ａ，４２ｂの下流側端部に整流機構を設けたが、これに限られるものではなく、遊技球を流下させる複数列の球通路を有する球流下通路と、前記複数列よりも少ない列の球通路を有する球流下通路との接合部に設けられていればよい。
【０１２６】
【発明の効果】
以上説明したように、本発明による弾球遊技機によれば、第１球流下通路と第２球流下通路との接続部に設けられた整流機構により、複数列の球通路を有する第１球流下通路から前記複数列よりも少ない列の球通路を有する第２球流下通路へ滑らかに遊技球を流下させることができるため、複数列の球通路を有する球流下通路に配設されていた装置の構造を簡略化することができる。
【図面の簡単な説明】
【図１】本発明に係る弾球遊技機の一例として示すパチンコ機の正面図である。
【図２】上記パチンコ機の裏面側を示す背面図である。
【図３】第一実施例の整流機構の分解斜視図である。
【図４】第一実施例の整流機構に構成される整流部材のベース部材への取付部周辺を示す拡大斜視図である。
【図５】第一実施例の整流機構の分解平面図（部分断面図）である。
【図６】第一実施例の整流機構の背面図（部分断面図）である。
【図７】第一実施例の整流機構の平面図（部分断面図）である。
【図８】第一実施例の整流機構に構成されるベース部材を非整流位置に位置させた状態を示す背面図（部分断面図）である。
【図９】第一実施例の整流機構に構成される回転規制部材を回転規制位置に位置させた状態を示す拡大図（部分断面図）である。
【図１０】第一実施例の整流機構を左方から見た側面図（部分断面図）である。
【図１１】図７中の矢印ＸＩ−ＸＩに沿った部分断面図である。
【図１２】図７中の矢印ＸＩＩ−ＸＩＩに沿った部分断面図である。
【図１３】第一実施例の整流機構に構成される整流部材の分解背面図（部分断面図）である。
【図１４】第二実施例の整流機構の分解平面図（部分断面図）である。
【図１５】第二実施例の整流機構の背面図（部分断面図）である。
【図１６】第二実施例の整流機構の背断面図（部分断面図）である。
【図１７】図１５中の矢印ＸＶＩＩ−ＸＶＩＩに沿った部分側断面図である。
【図１８】第二実施例の整流機構に構成されるベース部材および回転規制部材の斜視図（部分断面図）である。
【図１９】第二実施例の整流機構に構成される整流部材の分解平面図である。
【図２０】第二実施例の整流機構に構成される整流部材の分解背面図（部分断面図）である。
【図２１】整流機構に構成される整流部材の別形態を示す背面図である。
【図２２】整流機構に構成される傾動防止部材の別形態を示す斜視図である。
【符号の説明】
ＢＳＰ　裏セット盤
ＰＡ　遊技領域
ＰＭ　パチンコ機
１　外枠
２　前枠
３ａ，３ｂ　ヒンジ部材
４　施錠装置
５　ガラス扉
６　上球皿
７　下球皿
８　操作ハンドル
９　打球発射装置
１７　係合レバー
１８　ヒンジ
１９　閉鎖レバー
２０　遊技盤
２１　化粧板
２２　案内レール（２２ａ　外レール、２２ｂ　内レール）
２３　風車
２４　一般入賞具
２５　始動入賞具
２６　大入賞口
２７　アウト口
２８　図柄表示装置
３０　基枠体
３１　窓口
４０　球貯留供給機構
４１　タンク部材
４２　タンクレール（４２ａ，４２ｂ　予備賞球通路）
４３　偏向出口
４４ａ　ガイド溝
４４ｂ　ガイド溝
４５　ベース部材当接溝
５０　賞球払出機構
５１　球切れ検出スイッチ
５２　待機通路部材（５２ａ　賞球待機通路）
５３　賞球カセット（５３ａ　カセットケース）
５４　賞球検出センサ
５５　蓋部材
６０　賞球払出経路
９１　メイン基板
９２　球払出基板
９３　ランプ・音声制御基板
９４　電源基板
９５　中継基板
９６　ターミナル基板
９７　画像制御基板
１００　整流機構（第一実施形態）
１０１　支軸
１０２　ベース取付部材取付ボス（１０２ａ　ネジ穴）
１０３　支軸取付ボス（１０３ａ　支軸取付穴）
１０４　傾動規制部材取付ボス（１０４ａ　ネジ穴）
１１０　整流部材
１１１　第１整流部材
１１２　第１回転軸部（１１２ａ　角穴係合部）
１１３　係合軸部
１１４　第１球当接部
１１６　第２整流部材
１１７　第２回転軸部（１１７ａ　六角穴）
１１９　第２球当接部
１２０　ベース部材
１２１　ベース傾動軸部（１２１ａ　支軸穴）
１２２　台座部（１２２ａ　回転規制部材取付穴、１２２ｂ　切欠き部）
１２３　傾動規制部材当接部
１２４　タンクレール当接部
１２５　係合穴部（１２５ａ　導入部、１２５ｂ　係合部）
１３０　ベース取付部材
１３１　支軸取付部（１３１ａ　支軸挿入穴）
１３２　取付ボス部（１３２ａ　貫通穴）
１３３　ザグリ穴
１３５　部材固定ネジ
１４０　回転規制部材
１４１　第１整流部材当接部
１４２　第２整流部材当接部
１４３　操作部（１４３ａ　ネジ逃げ部）
１４４　長穴
１４５　回転規制部材取付ネジ
１５０　傾動規制部材
１５１　揺動軸部（１５１ａ　貫通穴）
１５２　下動防止部
１５３　上動防止部（１５３ａ　テーパ部）
１５４　ザグリ穴
１５５　傾動規制部材取付ネジ
２００　整流機構（第二実施形態）
２１０　整流部材
２１１　第１整流部材
２１２　第１六角穴
２１４　第１球当接部
２１６　第２整流部材
２１７　第２六角穴
２１９　第２球当接部
２２０　ベース部材
２２１　ベース傾動軸部（２２１ａ　支軸穴）
２２２　スライド溝（２２２ａ　切り欠き部）
２２３　傾動規制部材当接部
２２５　係合穴部（２２５ａ　導入部、２２５ｂ　係合部）
２２６　折れ曲がり部
２３０　ベース部材取付ネジ
２４０　回転規制部材
２４１　第１整流部材当接部
２４２　第２整流部材当接部
２４３　折り曲げ部
２４４　ネジ穴
２４５　回転規制部材固定ネジ
２５０　傾動規制部材
２５１　長穴
２５２　ストッパ部（２５２ａ　テーパ部）
２５５　傾動規制部材取付ネジ
２６０　軸部材
２６２ａ　第１角穴係合部
２６２ｂ　第２角穴係合部
２６３　係合軸部
２７０　ベース部材取付部
２７１　第１ベース部材取付部
２７２　長穴
２７４　第１ボス部（２７４ａ　貫通穴）
２７５　第２ベース部材取付部
２７６　第２ボス部（２７６ａ　貫通穴）
２７８　ベース部材支持部
２８１　第１ブッシュ
２８２　第２ブッシュ
２８３　第１取付ネジ
２８４　第２取付ネジ
２８６　第１取付ボス
２８７　第２取付ボス
２８８　第３取付ボス
２８９　傾動規制部材取付部
３１０　整流部材
３１１　第１整流部材
３１２　第１六角穴
３１４　第１球当接部
３１６　第２整流部材
３１７　第２六角穴
３１９　第２当接部
３２０　ベース部材
３２３　傾動規制部材当接部
３５０　傾動規制部材
３５１　長穴
３５２　ストッパ部
３５４　操作部
３５５　傾動規制部材取付ネジ
３５６　座金
３５７　軸部
３６０　軸部材
３６２ａ　第１角穴係合部
３６２ｂ　第２角穴係合部
【図１】
2004008650.tif 000003
【図２】
2004008650.tif 000004
【図３】
2004008650.tif 000005
【図４】
2004008650.tif 000006
【図５】
2004008650.tif 000007
【図６】
2004008650.tif 000008
【図７】
2004008650.tif 000009
【図８】
2004008650.tif 000010
【図９】
2004008650.tif 000011
【図１０】
2004008650.tif 000012
【図１１】
2004008650.tif 000013
【図１２】
2004008650.tif 000014
【図１３】
2004008650.tif 000015
【図１４】
2004008650.tif 000016
【図１５】
2004008650.tif 000017
【図１６】
2004008650.tif 000018
【図１７】
2004008650.tif 000019
【図１８】
2004008650.tif 000020
【図１９】
2004008650.tif 000021
【図２０】
2004008650.tif 000022
【図２１】
2004008650.tif 000023
【図２２】
2004008650.tif 000024